(57)【特許請求の範囲】
【請求項１】
光学照準器用の調整タレットであって、
穴及び該本体を貫通する軸穴を有する本体と、
前記軸穴との相対回転のために該軸穴に螺合する調整シャフトと、
前記本体に対する前記調整シャフトとの回転のために該調整シャフトに接続されるとともに該調整シャフトを少なくとも部分的に受け入れるキャップであって、第１の位置と第２の位置との間で前記本体及び前記調整シャフトに対して軸方向に移動可能である、該キャップと、
前記キャップが前記第１の位置と前記第２の位置との間で移動するときに該キャップとともに軸方向に移動可能であるロックピンであって、前記キャップが前記第１の位置にあると前記穴内に受け入れられて前記キャップと前記本体との相対回転を阻止するとともに、前記キャップが前記第２の位置にあると前記穴から外れて該キャップと前記本体との相対回転を可能にする、ロックピンと、
を備え、
前記穴内に摺動可能に配置される回り止めプランジャーを更に備え、
前記ロックピンは、前記キャップが前記第１の位置にあると前記回り止めプランジャーと係合して前記穴内での前記回り止めプランジャーの移動を制限する、調整タレット。
【請求項２】
前記穴内での前記回り止めプランジャーの移動を制限することは、前記キャップと前記本体との相対回転を阻止する、請求項１に記載の調整タレット。
【請求項３】
前記穴内での前記回り止めプランジャーの移動を制限することは、前記キャップと共に回転する回り止めから前記回り止めプランジャーが外れることを阻止することで、前記キャップと前記本体との相対回転を阻止する、請求項１に記載の調整タレット。
【請求項４】
前記本体に対する前記調整シャフト及び前記キャップとの回転のために、該調整シャフト及び該キャップに対して回転方向に固定されるさやを更に備える、請求項１に記載の調整タレット。
【請求項５】
前記さやは、前記調整シャフトの第１の端と係合する第１の孔が軸方向に貫通している中央ハブを有する、請求項４に記載の調整タレット。
【請求項６】
前記キャップは、前記中央ハブと摺動可能に係合する第２の孔を有する、請求項５に記載の調整タレット。
【請求項７】
前記調整シャフトの前記第１の端に螺合するとともに前記さやに対して前記調整シャフトを固定する締結具を更に備える、請求項６に記載の調整タレット。
【請求項８】
前記さやは前記本体の周りに配置される回り止めリングを有し、該回り止めリングは複数の第１の回り止めを含む、請求項４に記載の調整タレット。
【請求項９】
前記回り止めリングは、前記第１の回り止めよりも大きな複数の第２の回り止めを含み、該第２の回り止めのそれぞれは、前記第１の回り止めのうちの２つに直接隣接して配置される、請求項８に記載の調整タレット。
【請求項１０】
前記穴内に配置される本体部分、及び該本体部分から突出するとともに前記第１の回り止め及び前記第２の回り止めのうちの１つと選択的に係合するプランジャー部分を含む回り止めプランジャーを更に備える、請求項９に記載の調整タレット。
【請求項１１】
前記回り止めプランジャーを径方向外方に付勢して前記回り止めリングと係合させる少なくとも１つの付勢部材を更に備える、請求項１０に記載の調整タレット。
【請求項１２】
前記回り止めプランジャーが移動して前記第１の回り止めのうちの１つと係合することにより、第１の感覚により知覚可能なインジケーターが生じ、前記回り止めプランジャーが移動して前記第２の回り止めのうちの１つと係合することにより、前記第１の感覚により知覚可能なインジケーターとは区別可能な第２の感覚により知覚可能なインジケーターが生じる、請求項１０に記載の調整タレット。
【請求項１３】
前記回り止めプランジャーの前記本体部分は、前記第１の位置において前記ロックピンを摺動可能に受け入れる穴を有する、請求項１０に記載の調整タレット。
【請求項１４】
前記ロックピンはヘッド部分及びシャフト部分を有する、請求項１に記載の調整タレット。
【請求項１５】
前記ヘッド部分と前記本体との間で前記シャフト部分の周りに配置されるとともに、前記キャップを前記第２の位置の方へ付勢するばねを更に備える、請求項１４に記載の調整タレット。
【請求項１６】
前記調整シャフトとの回転のために固定されているとともに、前記本体に配置される第２の止めタブと選択的に係合する第１の止めタブを有する止めリングを更に備え、前記第１の止めタブと前記第２の止めタブとの係合により、第１の方向への前記調整シャフトの軸の移動が制限される、請求項１に記載の調整タレット。
【請求項１７】
前記調整シャフトの移動により、前記光学照準器のレチクルの対応する移動が生じる、請求項１に記載の調整タレット。
【請求項１８】
光学照準器用の調整タレットであって、
第１の止めタブ及び該本体を貫通する軸穴を有する本体と、
前記軸穴との相対回転のために該軸穴に螺合する調整シャフトと、
前記本体に対する前記調整シャフトとの回転のために該調整シャフトに接続されるキャップと、
前記第１の止めタブに選択的に干渉して第１の方向への前記調整シャフトの回転を制限する第２の止めタブを有する止めリングと、
を備える、調整タレット。
【請求項１９】
前記本体は、前記軸穴に軸方向に隣接して配置される凹所を含み、前記第１の止めタブは前記凹所内に配置される、請求項１８に記載の調整タレット。
【請求項２０】
前記止めリングは、前記凹所内に選択的に受け入れられる、請求項１９に記載の調整タレット。
【請求項２１】
前記止めリングは、該止めリングを前記調整シャフトに対して固定するように前記調整シャフトと係合する第１の位置と、該止めリングと前記調整シャフトとを離脱させる第２の位置との間で移動可能な係合部材を含み、前記第１の止めタブ及び前記第２の止めタブは、前記係合部材が前記第１の位置にあると前記第１の方向への前記調整シャフトの回転を制限する、請求項１８に記載の調整タレット。
【請求項２２】
前記本体は、前記係合部材へのアクセスを与える径方向穴を有する、請求項２１に記載の調整タレット。
【請求項２３】
前記係合部材は押しねじを含む、請求項２１に記載の調整タレット。
【請求項２４】
前記調整タレットは、第１の位置と第２の位置との間で前記キャップとともに軸方向に移動可能なロックピンを更に備え、該ロックピンは、前記第１の位置において前記本体の穴内に受け入れられて前記キャップと前記本体との相対回転を阻止し、前記第２の位置において前記穴から外れて前記キャップと前記本体との相対回転を可能にする、請求項１８に記載の調整タレット。
【請求項２５】
前記調整タレットは、前記穴内に摺動可能に配置される回り止めプランジャーを更に備え、前記ロックピンは、前記キャップが前記第１の位置にあると前記回り止めプランジャーと係合して前記穴内での前記回り止めプランジャーの移動を制限する、請求項２４に記載の調整タレット。
【請求項２６】
前記穴内での前記回り止めプランジャーの移動を制限することは、前記キャップと前記本体との相対回転を阻止する、請求項２５に記載の調整タレット。
【請求項２７】
前記穴内での前記回り止めプランジャーの移動を制限することは、前記キャップと共に回転する回り止めから前記回り止めプランジャーが外れることを阻止することで、前記キャップと前記本体との相対回転を阻止する、請求項２５に記載の調整タレット。
【発明の詳細な説明】
【技術分野】
【０００１】
本開示は光学照準器に関し、より詳細には、ロック式調整タレットを有する銃器用の光
学照準器に関する。
【０００２】
［関連出願の相互参照］
本願は２０１０年１２月３０日に出願された米国特許仮出願第６１／４２８，５１８号の利益を主張する。上記出願の開示はその全体が参照により本明細書に援用される。
【背景技術】
【０００３】
本項は本開示に関する背景情報を提示するものであり、必ずしも従来技術であるとは限らない。
【０００４】
光学照準器は一般的にライフル銃及び／又は拳銃等の銃器とともに使用され、ユーザーが標的をよりはっきりと見ること及び標的をめがけて銃器を向けることを可能にする。従来の光学照準器は、像を拡大する一連のレンズ及び／又は他の光学部品を備え、拡大された標的をユーザーが銃器の銃身に対して位置合わせすることを可能にするレチクルを提供する。光学照準器は、１つ又は複数の調整機構を備えることができ、この調整機構により銃器の銃身に対してレチクルの位置を調整して銃器に対して光学照準器を適正に「ゼロ」にし、かつ／又は例えば風等の環境条件を補償することが可能である。
【先行技術文献】
【特許文献】
【０００５】
【特許文献１】米国特許第６，６４３，９７０号公報
【発明の概要】
【０００６】
本項は開示の概要を提示しており、開示の完全な範囲又はその特徴の全ての包括的な開示ではない。
【発明が解決しようとする課題】
【０００７】
本開示は光学照準器用の調整タレットを提供する。
【課題を解決するための手段】
【０００８】
調整タレットは、本体と、調整シャフト、キャップと、ロックピンとを備えることができる。本体は、穴及び該本体を貫通する軸穴を有することができる。調整シャフトは、軸穴との相対回転のために軸穴に螺合することができる。キャップは、本体に対して調整シャフトとの回転のために調整シャフトに接続されるとともに調整シャフトを少なくとも部分的に受け入れることができる。キャップは第１の位置と第２の位置との間で本体及び調整シャフトに対して軸方向に移動可能とすることができる。ロックピンは、キャップが第１の位置と第２の位置との間で移動するときにキャップとともに軸方向に移動可能とすることができる。ロックピンは、キャップが第１の位置にあると穴内に受け入れられてキャップと本体との相対回転を阻止することができ、キャップが第２の位置にあると穴から外れてキャップと本体との相対回転を可能にすることができる。
【０００９】
本開示はまた、本体と、調整シャフトと、キャップと、止めリングとを備えることができる調整タレットも提供する。本体は、第１の止めタブ及び該本体を貫通する軸穴を有することができる。調整シャフトは、軸穴との相対回転のために軸穴に螺合することができる。キャップは、本体に対する調整シャフトとの回転のために調整シャフトに接続することができる。止めリングは、第１の止めタブに選択的に干渉して第１の方向への調整シャフトの回転を制限する第２の止めタブを有することができる。
【００１０】
更なる適用分野は本明細書に提示される記載から明らかとなるであろう。本概要における記載及び特定の例は、例示目的のためだけに意図されており、本開示の範囲を限定する
ことを意図しない。
【００１１】
本明細書に記載されている図面は、選択された実施形態の例示のみを目的としており、可能な実施態様の全てではなく、本開示の範囲を限定することを意図しない。
【図面の簡単な説明】
【００１２】
【図１】本開示の原理に従った光学照準器の斜視図である。
【図２】図１の光学照準器の線２−２に沿った断面図である。
【図３】図１の光学照準器の線３−３に沿った断面図である
【図４】本開示の原理に従った光学照準器の調整系の断面図である。
【図５】ハウジングの一部が取り除かれている、図１の光学照準器の側面図である。
【図６】図１の光学照準器のレチクルパターンの概略図である。
【図７】本開示の原理に従った図４の調整系の調整タレットの分解斜視図である。
【図８】ロック状態での図７の調整タレットの断面図である。
【図９】ロック解除状態での図７の調整タレットの断面図である。
【図１０】図７の調整タレットの回り止め機構の部分断面図である。
【図１１】本開示の原理に従った、ロック機構及び図１０の回り止め機構を備える、図７の調整タレットの本体部分の斜視図である。
【図１２】調整スクリューを備える図１１の本体部分の斜視図である。
【図１３】本開示の原理に従った別の光学照準器の斜視図である。
【図１４】図１３の光学照準器の線１４−１４に沿った断面図である。
【図１５】図１３の光学照準器の線１５−１５に沿った断面図である。
【図１６】本開示の原理に従った別の調整系の断面図である。
【発明を実施するための形態】
【００１３】
図面の幾つかの図の全体を通して、対応する参照符号は対応する部分を示す。
【００１４】
ここで、例示的な実施形態を、添付図面を参照しながらより十分に説明する。
【００１５】
例示的な実施形態は、本開示が完全なものとなるように、かつその範囲を当業者に十分に伝えるように提示される。特定の構成部材、装置及び方法の例のような多くの特定の詳細は、本開示の実施形態の完全な理解を与えるために記載される。特定の詳細を用いる必要はないこと、例示的な実施形態を多くの異なる形態で具現することができること、及び本開示の範囲を限定するものと解釈すべきではないことが、当業者には明らかであろう。幾つかの例示的な実施形態では、既知のプロセス、既知の装置構造、及び既知の技術は詳細には説明しない。
【００１６】
本明細書において用いられている術語は、特定の例示的な実施形態を説明することのみを目的としており、限定することを意図しない。本明細書において用いられる場合、単数形である“ａ”、“ａｎ”及び“ｔｈｅ”は、文脈がそうではないことをはっきりと示していない限り複数形も含むことを意図することができる。「備える（”ｃｏｍｐｒｉｓｅｓ”,“ｃｏｍｐｒｉｓｉｎｇ”）」、「含む（“ｉｎｃｌｕｄｉｎｇ”）」及び「有する（“ｈａｖｉｎｇ”）」は包括的であり、したがって、述べられている特徴、整数、ステップ、動作、要素及び／又は構成部材の存在を明示しており、１つ又は複数の他の特徴、整数、ステップ、動作、要素、構成部材及び／又はその群の存在又は追加を排除するものではない。本明細書に記載の方法ステップ、プロセス及び動作は、実施順序として具体的に明記されていない限り、説明又は例示されている特定の順序でのそれらの実施を必ずしも必要とするものと解釈すべきではない。付加的又は代替的なステップを用いることができることも理解すべきである。
【００１７】
或る要素又は層が別の要素又は層「の上にある（ｏｎ：に接している）」、「に係合」、「に接続」又は「に連結」されるものと言及されている場合、或る要素又は層は他の要素又は層の直接上にあるか、直接係合、直接接続若しくは直接連結されることができるか、又は間に介在する要素若しくは層が存在する場合がある。逆に、或る要素が別の要素又は層「の直接上に」、「に直接係合」、「に直接接続」又は「に直接連結」されるものと言及されている場合、間に介在する要素又は層が存在する場合はない。要素間の関係を説明するのに用いられている他の語も同様に（例えば、「間に」対「直接間に」、「隣接した」対「直接隣接した」等）解釈すべきである。本明細書において用いられる場合、用語「及び／又は」は関連の列挙されたもののうちの１つ又は複数のいずれか及び全ての組み合わせを含む。
【００１８】
種々の要素、構成部材、領域、層及び／又はセクションを説明するのに第１の、第２の、第３の等の用語を本明細書において用いることができるが、これらの要素、構成部材、領域、層及び／又はセクションはこれらの用語によって限定されるべきではない。これらの用語は、或る要素、構成部材、領域、層又はセクションを別の領域、層又はセクションと区別するためだけに用いることができる。本明細書において用いられる場合の「第１の」、「第２の」及び他の数詞的な用語等の用語は、文脈によってはっきりと示されていない限り、或るシーケンスすなわち順序を示唆するものではない。したがって、以下に説明する第１の要素、構成部材、領域、層又はセクションは、例示的な実施形態の教示から逸脱することなく第２の要素、構成部材、領域、層又はセクションと呼ぶことができるであろう。
【００１９】
「内側」、「外側」、「下」、「下方」、「下側」、「上方」、「上側」等のような、空間的に相対的な用語は、図面に示されているように、或る要素又は特徴部の、別の要素（複数の場合もあり）又は特徴部（複数の場合もあり）に対する関係を説明するために、記載しやすくするために本明細書において用いることができる。空間的に相対的な用語は、図に示される向きに加え、使用時又は動作時の装置の異なる向きを含むことを意図することができる。例えば、図面の装置を逆さにした場合、他の要素又は特徴部の「下方」又は「下」として記載されている要素は、他の要素又は特徴部の「上方」の向きになる。したがって、「下方」という例示的な用語は上方及び下方の向きの双方を含むことができる。装置は別様の向きにある（９０度又は他の向きで回転されている）こともでき、本明細書において用いる空間的に相対的な記述はそれに従って解釈することができる。
【００２０】
図１〜図１２を参照すると、光学照準器１０が提示されており、該光学照準器１０は、ハウジング１２と、光学列（ｏｐｔｉｃｓ  ｔｒａｉｎ）１４と、調整系１６とを備えることができる。ハウジング１２は銃器２０に取り外し可能に取り付けられ、光学列１４及び調整系１６を支持する。光学列１４はハウジング１２と協働して標的の拡大像を与え、一方、調整系１６はハウジング１２に対して光学列１４の少なくとも一部を位置決めして銃器２０に対してレチクルパターン２２（図６）を適正に位置合わせする。発光ダイオード（ＬＥＤ）（図示せず）又は他の照明系が光学列１４と協働してレチクルパターン２２を照明し、ユーザーが光学照準器１０及び銃器２０に対して標的を位置合わせする際に補助することができる。
【００２１】
ハウジング１２は、銃器２０に取り外し可能に固定することができ、アイピース２６に取り付けられる主本体（ｍａｉｎ  ｂｏｄｙ）２４を含むことができる。主本体２４は、長手方向軸３２、第１の端３４、第２の端３６及びテーパー部分３８を有する、内部穴３０を含む概ね筒状の部材とすることができる。主本体２４の第１の端３４は、ねじ切り内側面３９、及びアイピース２６と係合するねじ切り外側面４０を含むことができる。部分的に球状の第１の座面４２をねじ切り内側面３９に隣接して配置することができる。筒状のキャップ４３がねじ切り内側面３９に螺合することができ、該筒状のキャップ４３は、
主本体２４内に組み付けられると第１の座面４２に直接隣接する部分的に球状の第２の座面４４を含むことができる。第１の座面４２及び第２の座面４４は協働して部分的に球状のソケットを形成する。ズーム調整リング４５が、アイピース２６に隣接する主本体２４の外径面と回転可能に係合することができる。主本体２４の第２の端３６は、第１の端３４から主本体２４の概ね反対側に配置され、概ね円形の断面を有する。テーパー部分３８は第１の端３４と第２の端３６との間に配置される。
【００２２】
主本体２４は調整系１６を支持し、該調整系１６の幾つかの部分を内部に受け入れる第１の穴４６（図２及び図４）並びに第２の穴４７（図３及び図４）を含むことができる。第１の穴４６及び第２の穴４７は、第１のねじ部分４８及び第２のねじ部分４９をそれぞれ含むことができるとともに、第１の実質的に円筒形の部分５０及び第２の実質的に円筒形の部分５１をそれぞれ含むことができる。第１の穴４６及び第２の穴４７は、長手方向軸３２を中心に互いから回転方向に９０度離間することができる。
【００２３】
図２〜図４を特に参照すると、光学列１４は、接眼アセンブリ６０、ズームアセンブリ６２、レチクルアセンブリ６４、視差アセンブリ６６及び対物アセンブリ６８を備えることができる。接眼アセンブリ６０は、アイピース２６内に収容される接眼レンズアセンブリ７０を含むことができる。ズームアセンブリ６２は、ズームレンズアセンブリ７２と該ズームレンズアセンブリ７２を支持するズームレンズハウジング７４とを含むことができる。ユーザーは、ズーム調整リング４５を回転させてハウジング１２に対してズームレンズアセンブリ７２の構成又は位置を調整することができる。ズームレンズハウジング７４は、長手方向軸３２に概ね沿って延びる細長い概ね筒状の部材とすることができる。ズームレンズハウジング７４は、主本体２４の第１の端３４に近接して配置される第１の端７６と、該第１の端７６と主本体２４のテーパー部分３８との間に配置される第２の端７８とを含むことができる。第１の端７６は、第１の座面４２及び第２の座面４４によって形成された部分的に球状のソケットと回転可能に係合する部分的に球状の外側面８０を含むことができる。このようにして、ズームレンズハウジング７４は、主本体２４に対して第１の軸８２（図２）及び第２の軸８４（図３）を中心に回転可能に可動とすることができる。第１の軸８２及び第２の軸８４は互いに対してかつ長手方向軸３２に対して垂直である。
【００２４】
レチクルアセンブリ６４は、１つ又は複数のレチクルレンズ８６と、該１つ又は複数のレチクルレンズ８６を支持するレチクルレンズハウジング８８とを含むことができる。レチクルレンズ８６は、例えばエッチングプロセス、黒色クロムマスクプロセス、及び／又は回折格子形成プロセスによってその上に形成されるレチクルパターン２２（図６）を有することができる。レチクルレンズハウジング８８は、ズームレンズハウジング７４の第２の端７８の内側面に係合することができる。したがって、主本体２４に対する第１の軸８２及び／又は第２の軸８４を中心としたズームレンズハウジング７４の回転移動により、主本体２４に対する第１の軸８２及び／又は第２の軸８４を中心としたレチクルレンズハウジング８８及びレチクルパターン２２の対応する回転移動が生じる。
【００２５】
視差アセンブリ６６は、レチクルアセンブリ６４と主本体２４の第２の端３６との間に配置されることができ、視差ハウジング９２によって支持される視差レンズアセンブリ９０を含むことができる。主本体２４から突出している視差調整ノブ９４により、視差レンズアセンブリ９０がハウジング１２に対して回転したときにその構成又は位置を調整することができる。最後に、対物アセンブリ６８は、主本体２４の第２の端３６に近接して配置されることができ、対物レンズアセンブリ６９を含むことができる。
【００２６】
光学列１４の上記説明は、光学部品の例示的な構成を示すために提示されていることを理解すべきである。本開示の原理は、上記の特定の構成部材及び／又は構成部材配置を含
む光学列を有する光学照準器に用途を限定されない。光学照準器１０は、所与の用途に合わせるように光学部品の任意の他の構成又は配置を含むことができ、該光学照準器１０に事実上任意の拡大を与えることができる。
【００２７】
ここで、図１〜図５を参照すると、調整系１６は、第１のアジャスターアセンブリ若しくはタレット１０２又は第２のアジャスターアセンブリ若しくはタレット１０３、及び付勢部材１０４（図３）を含むことができる。第１のアジャスターアセンブリ１０２は主本体２４の第１の穴４６に螺合することができる。第２のアジャスターアセンブリ１０３は主本体２４の第２の穴４７に螺合することができる。付勢部材１０４は、例えば板ばね、又は任意の他のばね若しくは弾性の柔軟な部材とすることができ、主本体２４内に配置することができる。図４に示すように、付勢部材１０４は、長手方向軸３２を中心に第１のアジャスターアセンブリ１０２及び第２のアジャスターアセンブリ１０３の双方から回転方向におよそ１３５度離間して、第１のアジャスターアセンブリ１０２及び第２のアジャスターアセンブリ１０３の双方に実質的に等しく付勢するように対向することができる。図５に示すように、付勢部材１０４は第１の端９５及び第２の端９６を含むことができる。例えば、締結具９８が第１の端９５を視差ハウジング９２又は主本体２４に固定することができる。第２の端９６はズームレンズハウジング７４の外側面に付勢接触し、ズームレンズハウジング７４を第１のアジャスターアセンブリ１０２及び第２のアジャスターアセンブリ１０３の方へ付勢することができる。
【００２８】
第１のアジャスターアセンブリ１０２が付勢部材１０４と協働して、ハウジング１２に対して第２の軸８４を中心にズームレンズハウジング７４を回転させることができる。同様に、第２のアジャスターアセンブリ１０３が付勢部材１０４と協働して、ハウジング１２に対して第１の軸８２を中心にズームレンズハウジング７４を回転させることができる。ハウジング１２に対するズームレンズハウジング７４の動きにより、同様にレチクルレンズハウジング８８及びレチクルレンズ８６を動かして、ハウジング１２に対するレチクルパターン２２の位置を調整する。このようにして、第１のアジャスターアセンブリ１０２の動きにより、ハウジング１２に対するレチクルパターン２２の対応する動きを生じさせて、エレベーションを補償するように銃器２０に対してレチクルパターン２２を位置合わせする。同様に、第２のアジャスターアセンブリ１０３の動きにより、ハウジング１２に対するレチクルパターン２２の対応する動きを生じさせて、ウィンデージを補償するように銃器２０に対するレチクルパターン２２を位置合わせする。
【００２９】
ここで、図４及び図７〜図１２を参照すると、第１のアジャスターアセンブリ１０２は、本体１１０、調整スクリュー１１２、さや１１４、キャップ１１６、回り止め機構１１８、ロック機構１２０及びベースライン回帰機構１２２を含むことができる。本体１１０は概ね円筒形の部材とすることができ、ハウジング１２に対して第１の穴４６内に少なくとも部分的に固定することができる。本体１１０は、第１の部分１２４、第２の部分１２６、第３の部分１２８、並びに、該第１の部分１２４、該第２の部分１２６及び該第３の部分１２８を貫通する軸穴１３０を有することができる。第１の部分１２４は、凸状部分（ｒａｉｓｅｄ  ｐｏｒｔｉｏｎ：隆起部分）１３２及び凹状部分（ｒｅｃｅｓｓｅｄ  ｐｏｒｔｉｏｎ：窪み部分）１３４を含むことができる。凸状部分１３２は、軸穴１３０と第１の部分１２４の外径面１３８との間に径方向に延びるアクセススロット又は孔１３６を含むことができる。凹状部分１３４は、複数のねじ孔１４０と、外径面１３８及び軸穴１３０間に配置される穴１４２とを含むことができる。穴１４２は概ね矩形とすることができ、径方向内方に延びるばね座１４６を有する第１の表面１４４と該第１の表面１４４に対向する第２の表面１４８とを含むことができる。第２の表面１４８は、外径面１３８を貫通するスロット１５０を含むことができる。
【００３０】
第２の部分１２６は、第１の外側面１５２及び第２の外側面１５４を含むことができる
。第１の外側面１５２は第１の部分１２４に隣接することができ、例えばＯリングのようなシール部材１５８を受け入れる環状溝１５６を含むことができる。第２の外側面１５４は第１の外側面１５２よりも小さな直径を有することができ、インジケーターリング１６０と係合することができる。インジケーターリング１６０は、複数のライン、矢印又は他の指標１６２、及び１つ又は複数の数字１６４、又は指標１６２に対応する他の記号を有することができる。指標１６２及び／又は数字１６４はともに、標的までの範囲又は距離及びさや１１４に対する本体１１０の位置を示すことができる。指標１６２及び／又は数字１６４は、塗装、エッチング、スクライビングするか、又は他の方法でインジケーターリング１６０に形成することができる。
【００３１】
第３の部分１２８は、第１の外側面１５２及び第２の外側面１５４によって画定された第２の部分１２６よりも小さな外径を有することができ、環状溝１６６及びねじ部分１６８を含むことができる。図４に示すように、ねじ部分１６８はハウジング１２の主本体２４の第１の穴４６のねじ部分４８と係合することができる。Ｏリングのようなシール部材１７０を環状溝１６６内に受け入れることができ、該シール部材１７０は第１の穴４６の一部とシール係合して、水分及び／又はデブリがハウジング１２の内部穴３０に入るのを阻止するとともに光学列１４に損傷を与えるのを阻止することができる。凸状リング１７１が第３の部分１２８の一端から（図７及び図８に示す図に対して）下方に突出することができ、第１の穴４６の実質的に円筒形の部分５０と係合することができる。
【００３２】
軸穴１３０は、凹状部分１７２、ねじ部分１７４、並びに、該凹状部分１７２及びねじ部分１７４間に配置される中央部分１７６を含むことができる。凹状部分１７２は、第１の部分１２４を少なくとも部分的に延びて形成されることができ、ねじ部分１７４及び中央部分１７６よりも大きな直径を有することができる。凹状部分１７２は、中央部分１７６に隣接して配置される環状レッジ１７８を含むことができる。環状レッジ１７８は、軸穴１３０を画定する軸に対して実質的に平行に該環状レッジ１７８から突出しているタブ１８０を有することができる。
【００３３】
調整スクリュー１１２は、軸穴１３０を貫通する細長いシャフトとすることができ、上側部分１８４及び下側部分１８６を含むことができる。上側部分１８４は、第１の環状溝１８８及び第２の環状溝１９０と、軸方向に延びるねじ穴１９３を有する凹状端部分１９１とを含むことができる。第１のシール部材１９２及び第２のシール部材１９４を、第１の環状溝１８８及び第２の環状溝１９０内にそれぞれ受け入れることができる。第１のシール部材１９２は、第１の環状溝１８８及びさや１１４とシール係合して、水分及びデブリが第１のアジャスターアセンブリ１０２に入ることを阻止する。第２のシール部材１９４は、第２の環状溝１９０及び軸穴１３０とシール係合して、水分及びデブリが軸穴１３０のねじ部分１７４と接触すること又はハウジング１２の内部穴３０に入ることを阻止する。
【００３４】
下側部分１８６は、ねじ部分１９６及び軸方向突出部１９８を含むことができる。ねじ部分１９６は、軸穴１３０のねじ部分１７４と係合して、調整スクリュー１１２が本体１１０に対して回転することを可能にすることができる。軸方向突出部１９８は、スナップ嵌めによりクリップ２０２と係合する環状溝２００を含むことができる。付勢部材１０４から離れて所定距離を超えた（図８及び図９に示す図面に対して）上方への調整スクリュー１１２の移動により、クリップ２０２を本体１１０の底面２０４に当接させる。このようにして、クリップ２０２は、第１のアジャスターアセンブリ１０２をハウジング１２内に設置している間に調整スクリュー１１２が第１のアジャスターアセンブリ１０２から外れることを阻止する。軸方向突出部１９８の遠位端２０５は、ズームレンズハウジング７４の第２の端７８の外側面に当接することができる（図４）。
【００３５】
さや１１４は、外径面２１０、内径面２１２及び端部分２１４を有する概ねカップ形状の部材とすることができる。外径面２１０は、第１のシール部材２２０及び第２のシール部材２２２をそれぞれ受け入れる第１の環状溝２１６及び第２の環状溝２１８を含むことができる。内径面２１２は、第１の部分２２４、第２の部分２２６及び第３の部分２２８を含むことができる。第１の部分２２４は、端部分２１４に隣接して配置されることができ、第２の部分２２６及び第３の部分２２８の直径よりも小さな直径を有することができる。第２の部分２２６は、第１の部分２２４に隣接しているものとすることができ、第１の部分２２４と協働して環状凹所２３０を画定することができる。第３の部分２２８は、本体１１０の第２の部分１２６との相対回転のために該第２の部分１２６と係合することができ、シール部材１５８とシール係合して水分及びデブリが第１のアジャスターアセンブリ１０２に入ることを阻止することができる。
【００３６】
端部分２１４は、複数の孔２３２及び中央ハブ２３４を有することができる。複数の一体形成されたブシュ２３５を有するリング２３３が端部分２１４と係合することができる。複数のブシュ２３５のそれぞれは、孔２３２のうちの対応する孔と位置合わせすることができ、その孔内に摺動可能に受け入れられることができる。
【００３７】
中央ハブ２３４は、該中央ハブ２３４を貫通する軸穴２３６を含むことができ、環状リム２３８を有する。軸穴２３６は、調整スクリュー１１２の凹状端部分１９１が環状リム２３８に当接するように、調整スクリュー１１２の上側部分１８４を少なくとも部分的に受け入れることができる。第１のシール部材１９２が軸穴２３６と接触して、該軸穴２３６と調整スクリュー１１２との間にシール関係をもたらす。
【００３８】
締結具２４０がさや１１４に対して調整スクリュー１１２を回転方向に固定することができる。締結具２４０のねじシャフト２４２がねじ穴１９３と係合し、締結具２４０が調整スクリュー１１２に螺締される（ｔｈｒｅａｄａｂｌｙ  ｔｉｇｈｔｅｎｅｄ）と締結具２４０のヘッド部分２４４が環状リム２３８にクランプ力を与えることができる。付加的に又は代替的に、凹状端部分１９１の外径は、軸穴２３６に形成されているスプラインと係合するスプラインを含むことができる。このようにして、凹状端部分１９１のスプラインと軸穴２３６のスプラインとの係合が、調整スクリュー１１２とさや１１４との相対回転を阻止することができる。
【００３９】
中央ハブ２３４の外側部分２４６が、軸方向に延びる環状凹所２４８及び環状溝２５０を含むことができる。環状凹所２４８内にキャップ１１６を少なくとも部分的に受け入れることができ、環状溝２５０内にシール部材２５２を受け入れることができる。
【００４０】
キャップ１１６は、外側面２５４、内側面２５６及び端部分２５８を有する概ねカップ形状の部材とすることができる。外側面２５４は、該外側面２５４の把持を容易にするように複数のリッジ２５９及び／又は他の特徴部を有することができる。内側面２５６及び端部分２５８が協働して穴２６０を画定することができる。さや１１４は、該さや１１４の外径面２１０がキャップ１１６の内側面２５６と摺動可能に係合してキャップ１１６とさや１１４との間の相対的な軸方向移動を可能にするように、穴２６０内に少なくとも部分的に受け入れられることができる。第１のシール部材２２０及び第２のシール部材２２２は、内側面２５６とシール係合して、水分及びデブリがキャップ１１６とさや１１４との間の第１のアジャスターアセンブリ１０２に入ることを阻止することができる。
【００４１】
キャップ１１６の端部分２５８は、軸方向に延びる穴２６６及び複数のねじ孔２６４を有する環状ハブ２６２を有することができる。環状ハブ２６２はさや１１４の環状凹所２４８内に摺動可能に受け入れられることができる。さや１１４の中央ハブ２３４は軸方向に延びる穴２６６内に摺動可能に受け入れられることができる。
【００４２】
ねじ孔２６４のそれぞれは、さや１１４内の孔２３２のうちの対応する孔と位置合わせすることができる。複数のねじ締結具２６８のそれぞれが、ブシュ２３５のうちの対応するブシュ及びねじ孔２６４のうちの対応するねじ孔と係合することができる。ブシュ２３５の遠位端２６９が端部分２５８の内側面に当接することができる。ブシュ２３５がさや１１４内の孔２３２と摺動可能に係合するとともにねじ締結具２６８がさらにブシュ２３５及びねじ孔２６４と係合するため、キャップ１１６はさや１１４及び調整スクリュー１１２に対して回転方向に固定される。したがって、キャップ１１６は、第１の位置（図８）と第２の位置（図９）との間でさや１１４及び調整スクリュー１１２に対して軸方向に移動可能である。
【００４３】
回り止め機構１１８が、回り止めリング２７０、回り止めプランジャー２７２、１つ又は複数の第１のばね２７４及び／又は１つ又は複数の第２のばね２７６を有することができる。回り止めリング２７０は、例えば接着剤結合、プレス嵌め、及び／又はねじ締結具により、さや１１４の内径面２１２の第２の部分２２６及び環状凹所２３０との回転のために固定されることができる。幾つかの構成では、回り止めリング２７０はさや１１４の内径面２１２と一体形成することができる。
【００４４】
回り止めリング２７０の径方向内側面２７８が、複数の第１の回り止め２８０及び複数の第２の回り止め２８２（図１０）を含むことができる。第２の回り止め２８２のそれぞれは、第１の回り止め２８０のそれぞれよりも大きい（すなわち、より深くより広い）ものとすることができる。第２の回り止め２８２のそれぞれは、一対の又は一連の第１の回り止め２８０間に配置されることができる。例えば、第２の回り止め２８２のそれぞれは、一連の３つの第１の回り止め２８０に隣接することができる。別の言い方をすれば、４つの回り止めにつき第２の回り止め２８２が１つあるものとすることができる（すなわち、第１の回り止め２８０対第２の回り止め２８２が３対１の比である）。第１の回り止め２８０対第２の回り止め２８２の比は上述の比と異なることができることを理解されたい。例えば、構成によっては、５つの回り止めにつき１つの第２の回り止め２８２があるものとすることができるか、又は１０個の回り止めにつき１つの第２の回り止め２８２があるものとすることができる。例示的な一構成では、回り止め２８０、２８２のそれぞれは、直接隣接する回り止め２８０又は２８２から１ミリラジアンの約１０分の１（０．１）離間しているものとすることができ、第２の回り止め２８２のそれぞれは、最も近くの他の第２の回り止め２８２から約１ミリラジアン離間しているものとすることができる。
【００４５】
回り止めプランジャー２７２は、プランジャー部分２８６が突出しているとともに内部に穴２８８が位置している本体部分２８４を有することができる。本体部分２８４は、プランジャー部分２８６が、穴１４２と連通するスロット１５０を通って外方に突出するように、本体１１０の穴１４２内に移動可能に配置されることができる。穴２８８は本体１１０の軸穴１３０に対して実質的に平行に延びることができる。
【００４６】
第１のばね２７４及び第２のばね２７６を、穴１４２の第１の表面１４４と回り止めプランジャー２７２の本体部分２８４との間に配置することができる。第１のばね２７４及び第２のばね２７６が協働して回り止めプランジャー２７２を穴１４２の第２の表面１４８の方へ付勢することで、プランジャー部分２８６の先端２８９を付勢して第１の回り止め２８０及び第２の回り止め２８２のうちの一方と係合させることができる。第１のばね２７４は、穴１４２のばね座１４６に部分的に受け入れられて、第１のばね２７４及び回り止めプランジャー２７２の相対的な位置決めを維持することができる。
【００４７】
回り止めプランジャー２７２と回り止めリング２７０との相対移動により、回り止め２８０、２８２の個々の回り止めが移動してプランジャー部分２８６との位置合わせを行う
／位置合わせから外れるため、プランジャー部分２８６を回り止め２８０、２８２の個々の回り止めに対し順次に係合及び離脱させることができる。直接隣接する第１の回り止め２８０同士間のスペース又は直接隣接する第１の回り止め２８０と第２の回り止め２８２との間のスペースとプランジャー部分２８６の先端２８９が位置合わせされるように、回り止めリング２７０がプランジャー部分２８６に対して所定位置へ移動することにより、第１のばね２７４及び第２のばね２７６の付勢力に抗して、回り止めプランジャー２７２が穴１４２の第１の表面１４４の方へ押しやられる。プランジャー部分２８６の先端２８９が第１の回り止め２８０又は第２の回り止め２８２のうちの一方と位置合わせされるように、回り止めリング２７０がプランジャー部分２８６に対して所定位置に更に回転移動することにより、第１のばね２７４及び第２のばね２７６が回り止めプランジャー２７２を付勢して第１の回り止め２８０又は第２の回り止め２８２のうちの一方と係合させることが可能となる。
【００４８】
回り止めプランジャー２７２が移動して第１の回り止め２８０又は第２の回り止め２８２のうちの一方と係合すると、回り止めリング２７０が回り止めプランジャー２７２に対して所定距離移動したことをユーザーに示す、ユーザーが感じることができる触覚表示及び／又はユーザーが聞くことができる可聴音、例えば「カチッと鳴る」音が生じることができる。第１の回り止め２８０と第２の回り止めの２８２とのサイズ差により、回り止めプランジャー２７２が移動して第１の回り止め２８０のうちの１つと係合すると、回り止めプランジャー２７２が移動して第２の回り止め２８２のうちの１つと係合することに起因して生じる第２の可聴音とは異なる第１の可聴音が生じることができる。この聞こえる音の違いは、ユーザーがさや１１４を調整する際に音だけで０．１ミリラジアンの調整から１ミリラジアンの調整まで区別することを可能にするのを補助する。
【００４９】
ロック機構１２０は、ブラケット２９０、ロックピン２９２及び付勢部材２９４を備えることができる。ブラケット２９０は、複数の第１の孔２９６、第２の孔２９８、環状凹所２９９及び１つ又は複数のアクセススロット３００を有する概ねＣ字形状の部材とすることができる。ブラケット２９０は、第１の孔２９６がねじ孔１４０のうちの対応するねじ孔と位置合わせすることができるように、本体１１０の凹状部分１３４上に配置されることができる。複数の締結具３０２のそれぞれが、第１の孔２９６のうちの対応する孔及びねじ孔１４０のうちの対応するねじ孔と係合してブラケット２９０を本体１１０に固定することができる。第１の孔２９６は、締結具３０２のヘッド３０４を受け入れるように座ぐり又は端ぐりされているものとすることができる。
【００５０】
第２の孔２９８は、環状凹所２９９と実質的に同軸に位置合わせされることができる。回り止めプランジャー２７２の先端２８９が第１の回り止め２８０及び第２の回り止め２８２のうちの一方と係合すると、第２の孔２９８が回り止めプランジャー２７２の穴２８８と実質的に同軸に位置合わせすることができる。
【００５１】
ロックピン２９２はシャフト部分３０６及びヘッド部分３０８を含むことができる。シャフト部分３０６は、図ではナット３１２と係合するねじ先端３１０を有して示されているが、連続的に均一直径のシャフトとすることができる。シャフト部分３０６は第２の孔２９８内に少なくとも部分的に受け入れられることができ、第１の位置（図８）と第２の位置（図９）との間で第２の孔２９８に対して移動可能である。
【００５２】
第１の位置では、シャフト部分３０６が穴２８８内に部分的に受け入れられて、回り止めリング２７０に係合している回り止めプランジャー２７２の移動を制限する。付勢部材２９４は、ヘッド部分３０８の底面３１４とブラケット２９０の環状凹所２９９との間でロックピン２９２のシャフト部分３０６の周りに配置することができる。付勢部材２９４は、ロックピン２９２を第２の位置へ穴２８８から離すように付勢することができる。リ
ング２３３は、さや１１４に対するキャップ１１６の軸方向移動により該リング２３３がロックピン２９２を下方に押しやって回り止めプランジャー２７２の穴２８８と係合させるように、ヘッド部分３０８の頂面３１６に当接することができる。ロックピン２９２は、回り止めプランジャー２７２の先端２８９が第１の回り止め２８０又は第２の回り止め２８２のうちの一方と係合するときに穴２８８に係合する（すなわち、第１の位置に移動する）ことしかできないため、第１の位置へのロックピン２９２の移動により、回り止めプランジャー２７２と回り止めリング２７０との相対回転を阻止し、それによって、さや１１４と本体１１０との、したがって調整スクリュー１１２と本体１１０との相対回転を阻止する。
【００５３】
ベースライン回帰機構１２２は、カラー３２０及び１つ又は複数の押しねじ３２２又は他の締結具を備えることができる。カラー３２０は、第１の端３２４、第２の端３２６、外側面３２８及び内側面３３０を有する概ね筒状の部材とすることができる。カラー３２０は、調整スクリュー１１２の上側部分１８４の周りに配置することができ、第２の端３２６が環状レッジ１７８に面するように軸穴１３０の凹状部分１７２内に少なくとも部分的に受け入れられることができる。第２の端３２６は、該第２の端３２６から（図７〜図９に示す図面に対して）下方に延びる突出部又はタブ３３２を有することができる。タブ３３２の概ねのサイズ及び形状は、本体１１０内の軸穴１３０のタブ１８０の概ねのサイズ及び形状と実質的に同様とすることができる。さらに、タブ１８０、３３２は、軸穴１３０を画定する軸に実質的に径方向に等距離とすることができる。
【００５４】
１つ又は複数のねじ孔３３４は、外側面３２８及び内側面３３０を径方向に貫通することができる。隣接するねじ孔３３４同士間の間隔は、ブラケット２９０内の隣接するアクセススロット３００同士間の間隔、及びアクセススロット３００と本体１１０内のアクセススロット１３６との間の間隔に対応することができる。押しねじ３２２がねじ孔３３４と係合することができる。ユーザーは、押しねじ３２２を調整スクリュー１１２の上側部分１８４に対して螺締して、カラー３２０を調整スクリュー１１２に対して軸方向かつ回転方向に固定することができる。ユーザーは、押しねじ３２２と上側部分１８４との係合を選択的に緩めて、カラー３２０と調整スクリュー１１２との間の軸方向かつ回転可能な相対移動を可能にすることができる。
【００５５】
第１のアジャスターアセンブリ１０２が第２のアジャスターアセンブリ１０３と実質的に同一であるものとすることができるため、第２のアジャスターアセンブリ１０３の詳細な説明は前述の通りである。
【００５６】
図１〜図１２を参照して、調整系１６の動作を詳細に説明する。上述したように、ユーザーが調整系１６を操作して、ウィンデージ及びエレベーションを補償するようにレチクルレンズハウジング８８の位置、したがって銃器２０の銃身に対するレチクルパターン２２を調整することができる。第１のアジャスターアセンブリ１０２及び付勢部材１０４が協働して、銃器２０と標的との間の距離及びエレベーションを補償するように第１の次元Ｘ（図４）内でレチクルパターン２２の位置を調整することができる。同様に、第２のアジャスターアセンブリ１０３及び付勢部材１０４が協働して、ウィンデージを補償するように第２の次元Ｙ（図４）内でレチクルパターン２２の位置を調整することができる。第１のアジャスターアセンブリ１０２の動作が第２のアジャスターアセンブリ１０３の動作と実質的に同一とすることができるため、第２のアジャスターアセンブリ１０３の動作の詳細な説明は前述の通りである。
【００５７】
キャップ１１６、さや１１４及び調整スクリュー１１２が互いに対して回転方向に固定されているため、ユーザーは、キャップ１１６を本体１１０に対して時計回り方向に回転させることで本体１１０に対する調整スクリュー１１２の対応する時計回りの回転を生じ
させることができる。調整スクリュー１１２のそのような時計回りの回転により、第１の次元Ｘ内での（図４に示す図に対して）下方への本体１１０に対する調整スクリュー１１２の対応する直線運動を生じさせることができる。この移動を軸方向突出部１９８がズームレンズハウジング７４に伝達し、該ズームレンズハウジング７４を、付勢部材１０４の付勢力に抗して第１の次元Ｘ内での（図４に示す図面に対して）下方に移動させる。同様に、本体１１０に対する反時計回り方向へのキャップ１１６の回転により、第１の次元Ｘ内での（図４に示す図面に対して）上方への調整スクリュー１１２の対応する直線運動をもたらす。付勢部材１０４は、ズームレンズハウジング７４を調整スクリュー１１２の方へ付勢してそれらの間に接触を維持し、調整スクリュー１１２が移動して付勢部材１０４から離れるときにズームレンズハウジング７４が第１のアジャスターアセンブリ１０２の方へ移動することを可能にする。レチクルパターン２２がズームレンズハウジング７４に対して固定されているため、ユーザーは、上述したようにどちらかの方向にキャップ１１６を回転させて、銃器２０の銃身に対してレチクルパターン２２の位置を調整することができる。
【００５８】
ユーザーがキャップ１１６を回転させると、回り止めリング２７０と回り止めプランジャー２７２との間の対応する相対回転により、上述したように、第１の回り止め２８０及び第２の回り止め２８２に対する回り止めプランジャー２７２の先端２８９の順次の離脱及び係合によってもたらされる触覚表示及び／又は可聴の「カチッと鳴る」音が生じる。回り止め２８０、２８２のそれぞれの間の間隔は、各触覚表示及び／又は「カチッと鳴る」音が銃器２０と標的との間の距離の所定部分についてのレチクルパターン２２の調整に対応するように所定の直線距離に対応する。
【００５９】
例えば、直接隣接する第１の回り止め２８０同士間及び直接隣接する第１の回り止め２８０と第２の回り止め２８２との間の距離が１ヤードの直線距離に対応し、近隣の第２の回り止め２８２同士間の距離が１０ヤードの直線距離に対応するものとする。ユーザーは、銃器２０と標的との間の相対距離において５０ヤード変化を考慮するようにレチクルパターン２２の位置を調整することを望む場合、５０回のカチッと鳴る音を数えるまでキャップ１１６を回転させることができる。しかしながら、回り止めプランジャー２７２と第１の回り止め２８０のそれぞれとの間の係合が第１のカチッと鳴る音及び／又は第１の触覚表示をもたらし、回り止めプランジャー２７２と第２の回り止め２８２のそれぞれとの間の係合が第２の異なるカチッと鳴る音及び／又は第２の異なる触覚表示をもたらすため、ユーザーは、５０回のカチッと鳴る音若しくは５０回の触覚表示を数えるのではなく５回の第２のカチッと鳴る音を聞くか又は５回の第２の触覚表示を感じるまで単にキャップ１１６を回転させるだけでよい。
【００６０】
上述したように、キャップ１１６は第１の位置（図８）と第２の位置（図９）との間でさや１１４に対して軸方向に移動可能とすることができる。第１の位置と第２の位置との間でのキャップ１１６の移動により、それぞれロック位置とロック解除位置との間でのロック機構１２０の対応する移動を生じさせることができる。
【００６１】
キャップ１１６がリング２３３に対して固定されることができるため、さや１１４に対するキャップ１１６の下方移動により、リング２３３の対応する下方移動が生じる。リング２３３のそのような下方移動により、ロックピン２９２が下方に押しやられて、付勢部材２９４の付勢力に抗して回り止めプランジャー２７２内の穴２８８と係合する。ロックピン２９２と穴２８８とのそのような係合は、回り止めプランジャー２７２が本体１１０に対して径方向に移動することを阻止し、それによって回り止めプランジャー２７２の先端２８９をロックして第１の回り止め２８０又は第２の回り止め２８２のうちの一方と係合させる。回り止めプランジャー２７２は、キャップ１１６が第１の位置内にあるときにそれらの回り止めと位置合わせされる個々の回り止め２８０、２８２から離脱することを
阻止されるため、回り止めリング２７０が回り止めプランジャー２７２に対して回転方向に移動することを阻止される。回り止めリング２７０がさや１１４に対して回転方向に固定され、さや１１４がさらに、調整スクリュー１１２に対して回転方向に固定されているため、ロック位置へのロック機構１２０の移動により、キャップ１１６が回転することを阻止する。ゆえに、ロック機構１２０がロック位置にあるとき、第１のアジャスターアセンブリ１０２が銃器２０の銃身に対してズームレンズハウジング７４（したがって、レチクルレンズハウジング８８及びレチクルパターン２２）を移動させることを阻止されることができる。第１のシール部材２２０及び第２のシール部材２２２とキャップ１１６の内側面２５６との間の摩擦により、キャップ１１６を第１の位置に保持することができる。幾つかの実施形態では、第１のシール部材２２０及び第２のシール部材２２２と内側面２５６との間の摩擦はキャップ１１６を第１の位置に保持するのに十分であるものとすることができ、他の実施形態では、さや１１４の内側面２５６及び／又は外径面２１０が１つ又は複数の回り止め、リブ及び／又は他の特徴部を含むことで、それらの間の摩擦を増加させてキャップ１１６を第１の位置に選択的に保持することができる。
【００６２】
第２の位置へのキャップ１１６の上方移動により、付勢部材２９４がロックピン２９２を上方へ付勢して回り止めプランジャー２７２内の穴２８８との係合から外すことを可能にすることで、回り止め機構１１８から離れる方向に対応するリング２３３の上方移動を生じさせる。付勢部材２９４の付勢力及び第１のシール部材２２０及び第２のシール部材２２２とキャップ１１６の内側面２５６との間の摩擦が協働してキャップ１１６を第２の位置に保持することができる。キャップ１１６が第２の位置にある（すなわち、ロック機構１２０がロック解除位置にある）ときに、ユーザーは、上述したように、本体１１０に対してキャップ１１６を回転させることによってレチクルパターン２２の位置を調整することができる。
【００６３】
ユーザーは、銃器２０の銃身に対してレチクルパターン２２の位置を較正することによって、光学照準器１０を「ゼロイン（ｓｉｇｈｔ−ｉｎ：照準補正）」することができる。ユーザーは、銃器２０が標的から例えば２００ヤードのような所定距離にある場合に、標的に合わせるために光学照準器１０を較正することによって光学照準器１０をゼロインするように選択することができる。ユーザーは、光学照準器１０をゼロインしている最中に、調整スクリュー１１２がカラー３２０とは別個に自由に回転するように調整スクリュー１１２に対してベースライン回帰機構１２２の押しねじ３２２を緩めることができる。光学照準器１０が所定距離でゼロインしている場合、ユーザーは調整スクリュー１１２のその時点での現在位置をベースライン位置として指定するように選択することができる。そのようにするために、ユーザーはまず、カラー３２０のタブ３３２が軸穴１３０のタブ１８０に当接するまで本体１１０に対してカラー３２０を回転させることができる。次いで、ユーザーは、押しねじ３２２を調整スクリュー１１２に対して締め付けてカラー３２０を調整スクリュー１１２に対して固定することができる。このようにして、タブ１８０、３３２間の干渉が調整スクリュー１１２の更なる時計回りの回転及びズームレンズハウジング７４の対応する下方移動を阻止する際にタブ１８０、３３２が互いに協働してユーザーにより選択されたベースライン位置での確実な止め部として働くことができる。したがって、ユーザーは、標的と銃器２０との間の、所定距離よりも長い距離を補償するように（すなわち、キャップ１１６を反時計回りに回転させることによって）第１のアジャスターアセンブリ１０２をその後作動させる場合、タブ１８０、３３２が互いに当接するまでキャップ１１６を時計回りに回転させることによってベースライン位置に迅速に戻すことができる。
【００６４】
ユーザーは、光学照準器１０をゼロインすると、締結具２４０を外し、その後、本体１１０からさや１１４及びキャップ１１６を外すことができる。ユーザーは次いで、さや１１４及び／又はキャップ１１６のマーキングがインジケーターリング１６０の対応する標
示１６２と位置合わせされるようにさや１１４及びキャップ１１６を本体１１０に取り付け戻すことができる。ユーザーは次いで、締結具２４０を再び取り付けてさや１１４及びキャップ１１６を調整スクリュー１１２に固定することができる。
【００６５】
図１３〜図１６を参照すると、光学照準器１０１０が提示されており、該光学照準器１０１０は、ハウジング１０１２と、光学列１０１４と、調整系１０１６と照明系１０１８とを備えることができる。ハウジング１０１２は銃器１０２０に選択的に取り付けられることができ、光学列１０１４、調整系１０１６及び照明系１０１８を支持する。光学列１０１４はハウジング１０１２と協働して標的の拡大像を与え、一方、調整系１０１６は光学列１０１４をハウジング１０１２に対して位置決めして光学列１０１４を銃器１０２０に対して適正に位置合わせする。一構成では、光学列１０１４は標的を該標的の視認サイズの６倍に実質的に等しいサイズに拡大する（すなわち６×倍率）。照明系１０１８は、光学列１０１４と協働してレチクルパターン（図６に示すレチクルパターン２２と同様とすることができる）を照明して光学照準器１０１０及び銃器１０２０に対して標的を位置合わせする際に補助する。
【００６６】
ハウジング１０１２は、アイピース１０２６に取り付けられた主本体１０２４を含む。主本体１０２４は、銃器１０２０にハウジング１０１２を取り付ける際に使用する一連のねじ穴１０２８、及び長手方向軸１０３２を有する内部穴１０３０を含むことができる。主本体１０２４の第１の端１０３４が実質的に円形の形状を含むことができ、ハウジング１０１２の内部穴１０３０と連通している。第２の端１０３６が、第１の端１０３４から主本体１０２４の対向側に概ね位置し、概ね円形の断面を同様に含む。テーパー状の口径部分１０３８が第１の端１０３４と第２の端１０３６との間に位置し、テーパー状の口径部分１０３８のプロファイル（ｐｒｏｆｉｌｅ：断面形状）を画定する段状面１０４０を含む。
【００６７】
主本体１０２４の第１の端１０３４は、第２の端１０３６の射出瞳よりも大きな直径を有する入射瞳を含む。第１の端１０３４の入射瞳は、光学照準器１０１０に入る光量の程度を決定し、射出瞳と協働して光学照準器１０１０に所望の倍率を与える。一構成では、入射瞳は射出瞳の直径よりも実質的に６倍大きな直径を有する。そのような構成は光学照準器１０１０に「６×倍率」を与える。射出瞳は入射瞳よりも６倍小さいものとして記載されているが、射出瞳を大きくしてユーザーの眼を光学照準器１０１０と合わせやすくすることができる。第１の端１０３４は、周辺光によって光学列１０１４にグレアが生じることを防ぐために標的の方へ底部分１０４４よりも長い距離を延びる切頭部分１０４２を含むことができる。
【００６８】
主本体１０２４は調整系１０１６を支持し、該調整系１０１６の幾つかの部分を内部に受け入れる少なくとも１つの穴１０４６及び少なくとも１つの穴１０４９を含むことができる。図１６に示すように、穴１０４６のそれぞれは、ねじ部分１０４７及び概ね実質的に円筒形の部分１０４８を含むことができる。穴１０４９のそれぞれは、穴１０４６のうちの対応する穴と実質的に同軸であるとともに該対応する穴から実質的に１８０度離れて配置されることができる。
【００６９】
主本体１０２４は、アイピース１０２６と協働して該アイピース１０２６に対して主本体１０２４を位置決めするとともに該主本体１０２４をアイピース１０２６に取り付けるロック特徴部（ｌｏｃｋｉｎｇ  ｆｅａｔｕｒｅ：ロック機構）１０５０を備えることができる。ロック特徴部１０５０は、アイピース１０２６との相互作用のために主本体１０２４から延びるタブ１０５２を含むことができる。主本体１０２４とアイピース１０２６との間にシールを与えるために、主本体１０２４とアイピース１０２６との間に環状シール１０５３を配置することができる。主本体１０２４はタブ１０５２及び環状シール１０
５３を有するロック特徴部１０５０を含むものとして記載されているが、主本体１０２４をアイピース１０２６に取り付ける任意のロック特徴部を付加的に又は代替的に含むことができる。例えば、ロック機構１０５０は、アイピース１０２６を通して受け取られて主本体１０２４に挿入されて主本体１０２４に対してアイピース１０２６を位置決めするとともにアイピース１０２６を主本体１０２４に取り付ける一連の締結具１０５４（図１３）を含むことができる。締結具１０５４を用いてアイピース１０２６を主本体１０２４に取り付ける場合、主本体１０２４は、締結具１０５４を嵌合して受け入れる一連のねじ穴（図示せず）を含むことができる。主本体１０２４及びアイピース１０２６は別々の構成部材として記載及び図示されているが、主本体１０２４をアイピース１０２６と一体形成することができ、それによって、追加のシール及び締結具の必要性をなくすことができる。代替的に、アイピース１０２６は、締結具１０５４を嵌合して受け入れるねじ穴（図示せず）を同様に含むことができる。
【００７０】
アイピース１０２６は、該アイピース１０２６が主本体１０２４に組み付けられるときに該主本体１０２４の長手方向軸１０３２と同軸上に位置合わせされる長手方向軸１０６０を有することができる。アイピース１０２６は、ロック特徴部１０５０を介して主本体１０２４に取り付けられる第１の端１０６２と、該第１の端１０６２からアイピース１０２６の対向する端に配置される第２の端１０６４とを含む。第１の端１０６２は、アイピース１０２６が主本体１０２４に取り付けられるときに該主本体１０２４の円弧状内側面１０６７と位置合わせする円弧状内側面１０６６を含むことができる。円弧状内側面１０６６は、主本体１０２４の円弧状内側面１０６７と協働して球面座部を形成し、これによって、光学列１０１４の調整中にハウジング１０１２に対して光学列１０１４の一部を動かすことを可能にする。以下で更に説明するように、ハウジング１０１２に対して光学列１０１４の一部を動かすことは、ハウジング１０１２に対するレチクルパターンの調整、したがって、銃器１０２０に対する光学照準器１０１０の位置合わせを与える。リテーナーリング１０７２を照明系１０１８に隣接したアイピース１０２６の遠位端に位置決めすることができ、リテーナーリング１０７２を用いて例えば照明系１０１８の回転ダイアルのような調整機構を保持することができる。第１の端１０６２は、照明系１０１８の少なくとも一部を受け入れる凹所１０６８を含むこともできる。
【００７１】
図１４及び図１５を特に参照すると、光学列１０１４は、対物レンズ系１０７４、像正立系１０７６及び接眼レンズ系１０７８を備えて示されている。対物レンズ系１０７４は望遠対物レンズとすることができ、前方の正パワー群（ｆｒｏｎｔ  ｐｏｓｉｔｉｖｅ  ｐｏｗｅｒ  ｇｒｏｕｐ）１０７５と後方の負パワー群（ｒｅａｒ−ｎｅｇａｔｉｖｅ−ｐｏｗｅｒ  ｇｒｏｕｐ）１０７７とを含むことができる。前方の正パワー群１０７５は、主本体１０２４の第１の端１０３４に概ね近接して配置されることができ、適した接着剤によって一緒に固定された実質的に複凸レンズ及び実質的に凹凸レンズを有する凸平複レンズ１０８０と、凸平単レンズ１０９６とを含むことができる。レンズ１０８０、１０９６は、該レンズ１０８０、１０９６をハウジング１０１２の主本体１０２４に対して位置決めして取り付けるために、ねじ切りリテーナーリング１０８２及び／又は接着剤により主本体１０２４の第１の端１０３４内に固定されることができる。
【００７２】
後方の負パワー群１０７７は、前方の正のパワー群１０７５と主本体１０２４の第２の端１０３６との間に概ね配置され、凹平単レンズ１０９８と凸凹複レンズ１１００とを含むことができる。前方の正パワー群１０７５の場合と同じく、後方の負パワー群１０７７の単レンズ１０９８及び複レンズ１１００は、ねじ切りリテーナー１０８３及び／又は接着剤によりハウジング１０１２の主本体１０２４内に保持及び位置決めされることができる。
【００７３】
像正立系１０７６は、概ね対物レンズ系１０７４と接眼レンズ系１０７８との間でハウ
ジング１０１２内に配置される。像正立系１０７６は、ハウジング１０８４、ダハプリズム１０８６及びミラープリズム１０８８を含むことができ、それらが協働してＰｅｃｈａｎプリズムアセンブリを形成する。像正立系１０７６は対物レンズ系１０７４及び接眼レンズ系１０７８と協働して、ハウジング１０１２、したがって銃器１０２０に対して照準された標的の像の向きを適正に合わせる。例えば、像は、主本体１０２４の第１の端１０３４で受け取られるときに主本体１０２４の長手方向軸１０３２に沿って進み、アイピース１０２６で見られる前にＰｅｃｈａｎプリズムアセンブリの光路に沿って進む。像正立系１０７６はまた、照明系１０１８と協働してアイピースレンズ１０９０で表示されるレチクルパターンの全体形状及びサイズを提供することができる。
【００７４】
像正立系１０７６からの像は、アイピース１０２６に近接して配置される接眼レンズ系１０７８によって受け取られる。接眼レンズ系１０７８は、対物レンズ系１０７４から光学照準器１０１０の対向端に概ね配置され、両凸単式レンズ又は実質的に複凸式レンズとすることができるアイピースレンズ１０９０と、複接眼レンズ１０９２とを含むことができる。以下では、アイピースレンズ１０９０は複凸アイピースレンズ１０９０として記載される。複接眼レンズ１０９２は、適した接着剤によって一緒に固定された実質的に複凸レンズ及び実質的に複凹レンズを含むことができる。複凸アイピースレンズ１０９０及び複接眼レンズ１０９２は、ねじ切りリテーナーリング１０９４によりハウジング１０１２のアイピース１０２６に対して所望の位置に保持されることができる。ねじ切りリテーナーリング１０９４が開示されているが、接着剤を用いて複凸アイピースレンズ１０９０及び複接眼レンズ１０９２をハウジング１０１２のアイピース１０２６に代替的及び／又は付加的に取り付けることができる。
【００７５】
光学照準器１０１０は、視認標的（すなわち、光学照準器１０１０を用いずに見た場合の標的）のサイズのおよそ６倍の標的の倍率（すなわち６×倍率）を与えることができる。標的の像を拡大する光学照準器１０１０の性能を改善することにより、遠くの標的を大きくする際の光学照準器１０１０の性能が改善され、光学照準器１０１０がより遠くの距離にある標的を拡大することを可能にする。一般的に言えば、そのような倍率における改善はより長い焦点距離を有する対物レンズを導入することによって達成することができる。しかしながら、対物レンズの焦点距離の長さが増すことにより、ハウジング１０１２の長さ全体も増し、したがって、光学照準器１０１０の長さ全体及びサイズも増す。
【００７６】
上述したように、６×倍率は、多レンズの使用により対物レンズの焦点距離を長くすることによって達成される。凸平単レンズ１０９６、凹平単レンズ１０９８及び複レンズ１１００の間での、対物レンズ系１０７４、像正立系１０７６及び接眼レンズ系１０７８との協働により、光学照準器１０１０に標的の視認サイズよりも６倍大きく標的を拡大させる性能が与えられる。具体的には、レンズ１０９６、１０９８及び１１００を前方の正パワー群１０７５及び後方の負パワー群１０７７にそれぞれ追加することにより、長さのある扱いにくいハウジングを必要とせずに光学照準器１０１０が６×倍率を有することを可能にする。
【００７７】
光学列１０１４の上記の説明は、光学部品の例示的な構成を示すために提示されていることを理解されたい。本開示の原理は、上述の特定の構成部材及び／又は構成部材の配置を含む光学列を有する光学照準器に対する用途に限定されない。光学照準器１０１０は、所与の用途に合わせるように光学部品の任意の他の構成又は配置を含むことができ、該光学照準器１０１０に事実上任意の倍率を与えることができる。
【００７８】
調整系１０１６は、第１のアジャスターアセンブリ又はタレット１１０２及び第２のアジャスターアセンブリ又はタレット１１０３、並びに第１の付勢アセンブリ１１０４及び第２の付勢アセンブリ１１０５を含むことができる。第１のアジャスターアセンブリ１１
０２及び第２のアジャスターアセンブリ１１０３は、構造及び機能が上述の第１のアジャスターアセンブリ１０２及び第２のアジャスターアセンブリ１０３と実質的に同様とすることができ、それゆえ、再度詳細には記載はしない。第１のアジャスターアセンブリ１１０２は第１の付勢アセンブリ１１０４と協働して、軸１０３２、１０６０に対して実質的に垂直な軸Ｘに沿ってハウジング１０１２に対して像正立系１０７６のハウジング１０８４を動かすことができる。第２のアジャスターアセンブリ１１０３は第２の付勢アセンブリ１１０５と協働して、軸Ｘに対して実質的に垂直であるとともに軸１０３２、１０６０に対して実質的に垂直であるＹ軸に沿ってハウジング１０１２に対して像正立系１０７６のハウジング１０８４を動かす。像正立系１０７６のハウジング１０８４をハウジング１０１２に対して動かすことにより、同様に、ダハプリズム１０８６及びミラープリズム１０８８がハウジング１０１２に対して動かされ、したがって、ハウジング１０１２に対するレチクルパターンの位置を調整する。ハウジング１０１２に対するそのようなレチクルパターンの調整を用いて、エレベーション（すなわちＸ軸に沿った）及びウィンデージ（すなわちＹ軸に沿った）を補償するように銃器１０２０に対してレチクルパターンを位置合わせすることができる。
【００７９】
第１の付勢アセンブリ１１０４は、第１のアジャスターアセンブリ１１０２から１８０度離れて配置されたハウジング１０１２の穴１０４９内に少なくとも部分的に受け入れられることができる。第１の付勢アセンブリ１１０４は、付勢部材１３４０及び概ねカップ形状のブシュ１３４２を含むことができる。付勢部材１３４０は例えば圧縮コイルばねとすることができ、ブシュ１３４２に対して着座する第１の端１３４４と穴１０４９に対して着座する第２の端１３４６とを含むことができる。付勢部材１３４０が、像正立系１０７６のハウジング１０８４を第１のアジャスターアセンブリ１１０２の方へ付勢することができる。
【００８０】
第１のアジャスターアセンブリ１１０２が第２のアジャスターアセンブリ１１０３と実質的に同一とすることができ、第１の付勢アセンブリ１１０４が第２の付勢アセンブリ１１０５と実質的に同一とすることができるため、第２のアジャスターアセンブリ１１０３及び第２の付勢アセンブリ１１０５の詳細な説明は前述の通りである。
【００８１】
図１３〜図１６を続けて参照しながら、調整系１０１６の動作を詳細に説明する。上述したように、ユーザーが調整系１０１６を操作して、ウィンデージ及びエレベーションを補償するようにハウジング１０８４の位置、したがって銃器１０２０の銃身に対するレチクルパターンを調整することができる。第１のアジャスターアセンブリ１１０２及び第１の付勢アセンブリ１１０４が協働して、銃器と標的との距離及びエレベーションを補償するように第１の次元Ｘ内でレチクルパターンの位置を調整することができる。第２のアジャスターアセンブリ１１０３及び第２の付勢アセンブリ１１０５が協働して、ウィンデージを補償するように第２の次元Ｙ内でレチクルパターンの位置を調整することができる。第１のアジャスターアセンブリ１１０２及び第１の付勢アセンブリ１１０４の動作が第２のアジャスターアセンブリ１１０３及び第２の付勢アセンブリ１１０５の動作と実質的に同一とすることができるため、第２のアジャスターアセンブリ１１０３及び第２の付勢アセンブリ１１０５の動作の詳細な説明は前述の通りである。
【００８２】
光学照準器１０、１０１０は、銃器２０、１０２０にそれぞれ取り付けられるものとして上述されているが、銃器に対する用途に限定されない。例えば、光学照準器１０、１０１０のいずれかをアーチェリー弓、クロスボウ又は他の兵器に取り付けることもできる。さらに、第１のアジャスターアセンブリ１０２、１１０２、及び第２のアジャスターアセンブリ１０３、１１０３は、上述した光学照準器１０、１０１０に対する用途に限定されない。第１のアジャスターアセンブリ１０２、１１０２及び／又は第２のアジャスターアセンブリ１０３、１１０３は、異なる及び／又は更なる光学部品を備える照準器若しくは
他の照準装置、又は例えば「オープンサイト」又は「アイアンサイト」照準系のような、像を拡大又は別様に操作する光学部品のない照準器若しくは照準装置に組み込むことができる。
【００８３】
実施形態の上述の記載は例示及び説明のために提示されている。本開示を排他的にするか又は限定することは意図しない。特定の実施形態の個々の要素又は特徴は概して、その特定の実施形態に限定されないが、適用可能な場合、具体的に図示又は説明がされていないとしても、入れ替え可能であり、選択された実施形態において用いることができる。特定の実施形態の個々の要素又は特徴を多くの方法で変えることもできる。そのような変形は、開示から逸脱するものとしてみなされるべきではなく、そのような変形が全て開示の範囲内に含まれることを意図する。
【図１】
0005543955.tif 000002
【図２】
0005543955.tif 000003
【図３】
0005543955.tif 000004
【図４】
0005543955.tif 000005
【図５】
0005543955.tif 000006
【図６】
0005543955.tif 000007
【図７】
0005543955.tif 000008
【図８】
0005543955.tif 000009
【図９】
0005543955.tif 000010
【図１０】
0005543955.tif 000011
【図１１】
0005543955.tif 000012
【図１２】
0005543955.tif 000013
【図１３】
0005543955.tif 000014
【図１４】
0005543955.tif 000015
【図１５】
0005543955.tif 000016
【図１６】
0005543955.tif 000017